(57)【要約】  【課題】  縦方向及び横方向に分割された表示ウィンドウ上で、複数の表示枠を表示したまま、簡単な操作によって、任意の表示枠のサイズを拡大することのできる表示制御装置を提供する。  【解決手段】  複数の表示枠から成る表示ウィンドウ２０において、少なくとも一つの表示枠の中に、横拡大ボタン２５又は縦拡大ボタン２７を表示させ、該ボタンをユーザがクリックすることによって、該表示枠のサイズを横方向のみ又は縦方向のみに拡大できるようにする。また、拡大された表示枠の中には縮小ボタン２６を表示させ、該ボタン２６をクリックすることで表示枠のサイズを元に戻すことができるようにする。【選択図】  図４
2006318199.tif 000002
【特許請求の範囲】
【請求項１】
コンピュータの画面上に、表示ウィンドウを縦方向及び横方向に分割して成る複数の表示枠を表示する表示制御装置において、
前記複数の表示枠の内、少なくとも一つの表示枠内に該表示枠の拡大を指示するためのボタンを表示させる拡大ボタン表示手段と、
ユーザに画面上の任意の位置を指定させるための入力手段と、
ユーザによる前記入力手段を用いた前記ボタンの操作に応じて、前記表示枠のサイズを縦方向にのみ又は横方向にのみ拡大する表示枠拡大手段と、
を有することを特徴とする表示制御装置。
【請求項２】
更に、
拡大された表示枠内に、上記表示枠の拡大を指示するためのボタンに替えて、該表示枠のサイズを元に戻すことを指示するためのボタンを表示する縮小ボタン表示手段と、
ユーザによる上記入力手段を用いた前記ボタンの操作に応じて、前記表示枠のサイズを元に戻す手段と、
を有することを特徴とする請求項１に記載の表示制御装置。
【請求項３】
コンピュータの画面上に、表示ウィンドウを縦方向及び横方向に分割して成る複数の表示枠を表示する手段と、
前記複数の表示枠の内、少なくとも一つの表示枠内に該表示枠の拡大を指示するためのボタンを表示させる拡大ボタン表示手段と、
ユーザに画面上の任意の位置を指定させるための入力手段と、
ユーザによる前記入力手段を用いた前記ボタンの操作に応じて、前記表示枠のサイズを縦方向にのみ又は横方向にのみ拡大する手段、
としてコンピュータを機能させるためのプログラム。
【請求項４】
更に、
拡大された表示枠内に、上記表示枠の拡大を指示するためのボタンに替えて、該表示枠のサイズを元に戻すことを指示するためのボタンを表示する縮小ボタン表示手段と、
ユーザによる上記入力手段を用いた前記ボタンの操作に応じて、前記表示枠のサイズを元に戻す手段、
としてコンピュータを機能させるための請求項３に記載のプログラム。
【発明の詳細な説明】
【技術分野】
【０００１】
本発明は、コンピュータの画面上に種々の情報を表示するための表示制御装置に関するものであり、より詳しくは画面上に複数の領域（本発明ではこれを表示枠とよぶ）に分割された表示ウィンドウを表示すると共に、各領域のサイズを変更することのできる表示制御装置に関する。
【背景技術】
【０００２】
従来より、コンピュータの画面上に複数の表示枠に分割されたウィンドウ（以下、分割型ウィンドウとよぶ）を表示し、各表示枠毎に異なる情報を表示することによって、同時に複数種類の情報を参照できるようにした表示制御装置が知られている。
【０００３】
このような分割型ウィンドウの一例を図６に示す。該ウィンドウ６０内は横向きの境界線６８によって縦方向に２分割され、境界線６８の下方の領域は更に縦向きの境界線６９によって横方向に２分割されている。ここで、境界線６８の上方の領域を上部枠６１、境界線６８の下方の領域の内、境界線６９より左側を下部左枠６２、境界線６９より右側を下部右枠６３とよぶ。これらの表示枠の中には該表示枠を最大サイズに変更するためのボタン（最大化ボタン）６４が設けられており、例えば、下部左枠６２を大きく表示させたい場合には、下部左枠６２内に設けられた最大化ボタン６４をユーザがマウス等のポインティングデバイスを用いてクリックすることで、該表示枠６２のサイズを拡大することができる。なお、最大化された表示枠６２の中には、最大化ボタンに替えて該表示枠のサイズを元に戻すことを指示するためのボタン（本発明ではこれを縮小ボタンとよぶ）６６が表示されるようになっており、該縮小ボタン６６をクリックすることにより、最大化された表示枠を元のサイズ（初期サイズ）に戻すことができるようになっている。
【０００４】
このように、従来の表示制御装置においては、分割型ウィンドウの各表示枠に設けられたボタンをユーザがクリックすることにより、該表示枠のサイズを最大サイズと初期サイズとの間でワンタッチで切り替えることができるようになっている。
【発明の開示】
【発明が解決しようとする課題】
【０００５】
しかし、従来の表示制御装置においては、上記のような縦方向と横方向とに分割された分割型ウィンドウにおいて、一つの表示枠を最大化すると、図６に示すように、該表示枠が表示ウィンドウ一杯に表示されるため、他の表示枠が表示されなくなってしまう。そのため、例えば、拡大させる表示枠と別の表示枠とを同時に参照したい場合には、図７に示すように、表示枠と表示枠の間の境界線（スプリットバー）６９をドラッグすることによって、表示枠を任意のサイズに変更する必要がある。この場合、ユーザは、（１）マウスを動かしてポインタ７０をスプリットバー６９上に移動させ、マウスのボタンを押す（図７(a)）。（２）マウスのボタンを押したままマウスを移動させる（図７(b)）。（３）マウスのボタンを放す（図７(c)）、という一連の動作を行わなければならず、操作が面倒であった。
【０００６】
そこで、本発明が解決しようとする課題は、縦方向及び横方向に分割された表示ウィンドウ上で、複数の表示枠を表示したまま、簡単な操作によって、任意の表示枠のサイズを拡大することのできる表示制御装置を提供することである。
【課題を解決するための手段】
【０００７】
上記課題を解決するために成された本発明に係る表示制御装置は、コンピュータの画面上に、表示ウィンドウを縦方向及び横方向に分割して成る複数の表示枠を表示する表示制御装置において、
前記複数の表示枠の内、少なくとも一つの表示枠内に該表示枠の拡大を指示するためのボタンを表示させる拡大ボタン表示手段と、
ユーザに画面上の任意の位置を指定させるための入力手段と、
ユーザによる前記入力手段を用いた前記ボタンの操作に応じて、前記表示枠のサイズを縦方向にのみ又は横方向にのみ拡大する表示枠拡大手段と、
を有することを特徴とする。
【０００８】
なお、ここで表示ウィンドウとは、コンピュータの画面上に表示される、画像や文書等を表示するための矩形状の表示領域であり、画面全体に表示されるものであってもよく、画面の一部のみに表示されるものであってもよい。
【０００９】
また、本発明に係る表示制御装置は、更に、
拡大された表示枠内に、上記表示枠の拡大を指示するためのボタンに替えて、該表示枠のサイズを元に戻すことを指示するためのボタンを表示する縮小ボタン表示手段と、
ユーザによる上記入力手段を用いた前記ボタンの操作に応じて、前記表示枠のサイズを元に戻す手段と、
を有するものとすることが望ましい。
【００１０】
また、本発明に係るプログラムは、
コンピュータの画面上に、表示ウィンドウを縦方向及び横方向に分割して成る複数の表示枠を表示する手段と、
前記複数の表示枠の内、少なくとも一つの表示枠内に該表示枠の拡大を指示するボタンを表示させる拡大ボタン表示手段と、
ユーザに画面上の任意の位置を指定させるための入力手段と、
ユーザによる前記入力手段を用いた前記ボタンの操作に応じて、前記表示枠のサイズを縦方向にのみ又は横方向にのみ拡大する手段、
としてコンピュータを機能させるためのプログラムである。
【発明の効果】
【００１１】
上記構成を有する本発明の表示制御装置又はプログラムによれば、入力手段を用いてユーザが表示枠内の拡大ボタンを操作するだけで、該表示枠のサイズを縦方向にのみ、又は横方向にのみ拡大させることができるため、複数の表示枠を表示させたまま、素早くレイアウトを変更できるようになり、ユーザの使い勝手を向上することができる。
【００１２】
また、更に縮小ボタン表示手段を設けた場合には、前記拡大ボタンによって拡大された表示枠を、簡単に元のサイズに戻すことができる。
【発明を実施するための最良の形態】
【００１３】
以下、実施例を用いて本発明を実施するための最良の形態について説明する。
【００１４】
［実施例］
本実施例のプログラムは、ガスクロマトグラフデータ解析用ソフトウェアに本発明を適用したものであり、本実施例の表示制御装置は該ソフトウェアを搭載したパーソナルコンピュータの一部の機能として動作するものである。
【００１５】
図１に本実施例の表示制御装置の概略構成を示す。本実施例の表示制御装置は、表示部１１と、表示部１１の画面上にウィンドウや情報などを表示させるための処理を行う表示処理部１２、表示制御装置全体を制御する制御部１３、本実施例のプログラムを記憶した記憶部１４、及びユーザからの指示を制御部１３に入力するための入力部１５を備えている。入力部１５にはマウスが設けられており、該マウスを操作することにより表示部１１の画面上で任意の位置を指定することができる。
【００１６】
以下、図２のフローチャートを用いて本実施例のプログラムにおける表示枠のサイズ変更処理の手順を説明する。まず、ユーザが入力部１５で所定の操作を行うことによって、データ解析ウィンドウの表示が指示されると、該プログラムは、制御部１３及び表示処理部１２を介して、表示部１１上に図３(a)に示すような分割型ウィンドウ（初期ウィンドウ）２０を表示させる（Ｓ１）。該ウィンドウ２０は上部枠２１、下部左枠２２、下部右枠２３を有しており、上部枠２１にはクロマトグラム、下部左枠２２には測定結果データ、下部右枠２３にはデータ処理パラメータが表示されている。これらの表示枠内には各表示枠を最大表示させるための最大化ボタン２４が設けられ、更に、下部左枠２２及び下部右枠２３には、最大化ボタン２４と並んで横拡大ボタン２５が設けられている。
【００１７】
続いて、制御部１３によって、下部左枠２２、下部右枠２３のいずれかに設けられた横拡大ボタン２５が操作されたか否かが判定され（Ｓ２）。横拡大ボタン２５が操作されたと判定されると、該横拡大ボタンが設けられた表示枠のサイズが横方向に拡大されたウィンドウ（拡大ウィンドウ）を表示部１１に表示させる（Ｓ３）。例えば、ユーザがマウスのクリック動作によって下部左枠２２の横拡大ボタン２５を指定すると、下部左枠２２の横拡大ボタン２５が操作されたと判定され、図３(b)に示すように下部左枠２２のサイズが横方向に拡大される。このとき、下部左枠２２の横方向のサイズはウィンドウ２０の右端一杯まで拡大されるため、下部右枠２３は表示されなくなるが、下部左枠２２の縦方向のサイズは変化しないため、上部枠２１内のクロマトグラムと下部左枠２２内の測定結果データを同時に参照することができる。
【００１８】
拡大された表示枠においては、横拡大ボタンに替えて縮小ボタン２６が表示される。この画面で縮小ボタン２６が操作されたと判定されると（Ｓ４）、表示部１１には再び初期ウィンドウが表示され（Ｓ１）、拡大されていた表示枠が元のサイズに戻される。
【００１９】
以上のように、本実施例の表示制御装置及びプログラムによれば、マウスを用いて拡大ボタンをクリックするだけで、所望の表示枠のサイズを横方向にのみ拡大させることができるため、複数の表示枠を表示させたまま、素早くレイアウトを変更できるようになる。
【００２０】
以上、実施例を用いて本発明を実施するための最良の形態について説明したが、本発明はこれに限定されるものではなく、本発明の範囲内で種々の変更が許容される。例えば、上記実施例においては、図４(a)のように、分割型ウィンドウ２０において、所定の表示枠に横拡大ボタン２５を設け、該ボタン２５のクリックにより表示枠を横方向に拡大させるものについて説明したが、表示ウィンドウのレイアウト及び表示枠の拡大方向はこれに限られるものではない。例えば、図４(b)のように、所定の表示枠に縦拡大ボタン２７を設け、該ボタンのクリックによって表示枠を縦方向のみに拡大するものとしたり、図５のような分割型ウィンドウ２０において、所定の表示枠に縦拡大ボタン２７と横拡大ボタン２５の両方を設け、該表示枠を縦方向及び横方向のいずれにも拡大できるようにしてもよい。
【００２１】
なお、本発明のプログラムは、上記実施例のような分析データ解析用ソフトウェアのみに適用されるものではなく、分割型ウィンドウを表示する機能を備えた種々のプログラムに対して適用することができる。
【図面の簡単な説明】
【００２２】
【図１】本発明の一実施例に係る表示制御装置の概略構成を示すブロック図。
【図２】同実施例に係るプログラムにおける表示枠サイズ変更処理の手順を示すフローチャート。
【図３】同実施例の表示制御装置における表示ウィンドウを示す図であり、(a)は初期ウィンドウ、(b)は拡大ウィンドウである。
【図４】本発明における表示ウィンドウのレイアウト及び表示枠の拡大方向を示す図であり、(a)は表示枠を横に拡大するもの、(b)は表示枠を縦に拡大するものである。
【図５】本発明における表示ウィンドウのレイアウト及び表示枠の拡大方向の別の例を示す図。
【図６】従来の表示制御装置における表示枠サイズの変更方法を示す図。
【図７】従来の表示制御装置における表示枠サイズの変更方法の別の例を示す図。
【符号の説明】
【００２３】
１１…表示部
１２…表示処理部
１３…制御部
１４…記憶部
１５…入力部
２０、６０…表示ウィンドウ
２１、６１…上部枠
２２、６２…下部左枠
２３、６３…下部右枠
２４、６４…最大化ボタン
２５…横拡大ボタン
２６、６６…縮小ボタン
２７…縦拡大ボタン
６８、６９…境界線
７０…ポインタ
【図１】
2006318199.tif 000003
【図２】
2006318199.tif 000004
【図３】
2006318199.tif 000005
【図４】
2006318199.tif 000006
【図５】
2006318199.tif 000007
【図６】
2006318199.tif 000008
【図７】
2006318199.tif 000009